(57)【要約】【課題】必要な測定データを自動的に取得する温度測定システム及び温度測定方法を提供する。【解決手段】  マーク検出機３００が、タイヤ２００の回転の中心となるシャフト１００上のマーク１１０を検出し、温度測定機５００ａが、マーク検出機３００によってマーク１１０が検出されたことを契機としてタイヤ２００の温度を測定する。【選択図】図１
2006030012.tif 000002
【特許請求の範囲】
【請求項１】
回転するタイヤの温度を測定する温度測定システムであって、
前記タイヤの回転の中心となる軸と、
該軸上のマークを検出するマーク検出部と、
該マーク検出部によって前記マークが検出されたことを契機としてタイヤの温度を測定する温度測定部と
を備えることを特徴とする温度測定システム。
【請求項２】
前記温度測定部は、前記マーク検出部によって前記マークが検出されてから所望の時間が経過した際に温度を測定することを特徴とする請求項１に記載の温度測定システム。
【請求項３】
前記タイヤを回転させるための回転ドラムが作動を開始したことを契機として、所望の時間間隔で周期通知を提供する周期通知提供部を更に備え、
前記マーク検出部は、前記周期通知が提供されてから所望の時間を経過するまでの間、前記マークを検出することを特徴とする請求項１又は２に記載の温度測定システム。
【請求項４】
前記温度測定部によって測定された前記タイヤの温度が所定の値を超えたときに、前記回転ドラムを停止させる回転ドラム制御部を更に備えることを特徴とする請求項１乃至３のいずれか１項に記載の温度測定システム。
【請求項５】
前記温度測定部を複数備え、
前記マークが検出されたことを通知する検出通知を、前記マーク検出部から受信して、複数の検出通知に分配する分配部と、
前記マーク検出部によって前記マークが検出されてから、それぞれの温度測定部について所望の時間が経過した際に、前記分配された検出通知を前記複数の温度測定部にそれぞれ送信する送信部と
を更に備えることを特徴とする請求項１乃至４のいずれか１項に記載の温度測定システム。
【請求項６】
回転するタイヤの温度を測定する温度測定方法であって、
前記タイヤの回転の中心となる軸上のマークを検出するステップと、
前記マークが検出されたことを契機としてタイヤの温度を測定するステップと
を備えることを特徴とする温度測定方法。
【発明の詳細な説明】
【技術分野】
【０００１】
本発明は、回転するタイヤの温度を測定する温度測定システム及び温度測定方法に関する。
【背景技術】
【０００２】
従来、タイヤの温度は、タイヤが停止している状態で、熱電対等の温度測定機を直接タイヤに接触させることによって測定されている。又、タイヤが回転している状態でタイヤの温度を測定するためには、タイヤと非接触に温度を測定することができる放射温度測定機等が用いられている。更に、タイヤの一部に穴を設け、タイヤの内部を露出させてタイヤ表面の温度を測定することによって、タイヤ内部の温度を測定することも行われている（例えば、特許文献１参照）。
【特許文献１】特２００１−２０８６１８号公報
【発明の開示】
【発明が解決しようとする課題】
【０００３】
上述したように、タイヤが回転している状態で、タイヤの温度を測定するためには、温度測定機が温度を測定できる範囲内に、タイヤの測定すべき特定の部分が入ったことを人間の目で確認して温度を測定する必要があった。この場合、人間が温度測定機を操作できる時間帯にしか温度を測定できず、又、測定すべき特定の位置を正確に検出して温度を測定することが困難であった。又、温度測定機が測定データを記録可能な限り、多くのタイミングで温度を測定する手法もあるが、不要な測定データによってデータ量が膨大となり、測定データの管理及び解析が困難であった。
【０００４】
そこで、本発明は、上記の問題に鑑み、必要な測定データを自動的に取得する温度測定システム及び温度測定方法を提供することを目的とする。
【課題を解決するための手段】
【０００５】
本発明の第１の特徴は、回転するタイヤの温度を測定する温度測定システムであって、タイヤの回転の中心となる軸と、当該軸上のマークを検出するマーク検出部と、当該マーク検出部によってマークが検出されたことを契機としてタイヤの温度を測定する温度測定部とを備えることを要旨とする。
【０００６】
第１の特徴に係る温度測定システムによると、温度測定部は、タイヤと共に回転している軸上のマークが検出されたことを契機として、タイヤの温度を測定するため、軸上のマークの位置と関連づけられているタイヤの特定の位置の温度が測定される。従って、必要な測定データを自動的に取得することができる。
【０００７】
本発明の第１の特徴において、温度測定部は、マーク検出部によってマークが検出されてから所望の時間が経過した際に温度を測定するように構成されていてもよい。
【０００８】
かかる発明によれば、温度測定部は、マーク検出部によってマークが検出されるタイミングと所望の時間だけずれたタイミングで温度を測定するため、温度が測定されるタイヤの位置を調整することができる。
【０００９】
又、本発明の第１の特徴において、タイヤを回転させるための回転ドラムが作動を開始したことを契機として、所望の時間間隔で周期通知を提供する周期通知提供部を更に備え、マーク検出部は、周期通知が提供されてから所望の時間を経過するまでの間、マークを検出するように構成されていてもよい。
【００１０】
かかる発明によれば、マーク検出部が、所望の時間間隔で所望の時間だけマークを検出することによって、温度測定部は、所望の時間間隔で所望の時間だけ温度を測定するため、必要な測定データを取得することができる。
【００１１】
更に、本発明の第１の特徴において、温度測定部によって測定されたタイヤの温度が所定の値を超えたときに、回転ドラムを停止させる回転ドラム制御部を更に備えるように構成されていてもよい。
【００１２】
かかる発明によれば、回転ドラム制御部は、タイヤの温度が所定の値を超えたときに回転ドラムを停止させるため、タイヤの回転も停止し、温度を自動的に測定する場合でも危険を回避することができる。
【００１３】
又、本発明の第１の特徴において、温度測定部を複数備え、マークが検出されたことを通知する検出通知を、マーク検出部から受信して、複数の検出通知に分配する分配部と、マーク検出部によってマークが検出されてから、それぞれの温度測定部について所望の時間が経過した際に、分配された検出通知を複数の温度測定部にそれぞれ送信する送信部とを更に備えるように構成されていてもよい。
【００１４】
かかる発明によれば、１のマーク検出部によって通知される検出通知に基づいて、複数の温度測定部のそれぞれについて所望のタイミングで検出通知が送信される。このため、１のマーク検出部を用いて、１のタイヤの温度を測定するために設けられた複数の温度測定部、又は、同じ軸を中心として回転する複数のタイヤの温度を測定するために設けられた複数の温度測定部のそれぞれによって、必要な測定データを自動的に取得できる。
【００１５】
本発明の第２の特徴は、回転するタイヤの温度を測定する温度測定方法であって、タイヤの回転の中心となる軸上のマークを検出するステップと、マークが検出されたことを契機としてタイヤの温度を測定するステップとを備えることを要旨とする。
【発明の効果】
【００１６】
本発明によれば、必要な測定データを自動的に取得する温度測定システム及び温度測定方法を提供することができる。
【発明を実施するための最良の形態】
【００１７】
次に、本発明を詳細に説明する。
【００１８】
（温度測定システム）
まず、本発明の温度測定システムの一実施形態について、図１を用いて説明する。
【００１９】
温度測定システム１は、シャフト１００と、タイヤ２００と、マーク検出機３００と、システム管理装置４００と、温度測定機５００ａと、回転ドラム制御盤６００とを備える。
【００２０】
温度測定システム１においては、回転するタイヤ２００の温度が温度測定機５００ａによって測定される。尚、タイヤ２００は、タイヤ２００を回転させるための回転ドラムの周面に、所定の圧力で接するように配置されているため、回転ドラムの回転に伴って回転する。回転ドラムは、電気モーター等の駆動力によって回転する。
【００２１】
温度測定機５００ａは、タイヤの表面温度、若しくは、タイヤの内部の温度を測定する。タイヤの内部の温度は、タイヤの一部に穴を設け、タイヤの内部を露出させてタイヤ表面の温度を測定することによって測定される。
【００２２】
例えば、タイヤのハンプ部及びハンプバットレス部に穴を設け、ハンプ部とハンプバットレス部の内部の温度を測定する場合等は、タイヤの回転の中心からそれぞれの穴に向かう線によって形成される角の角度が大きくなるように穴を設けるとよい。複数の穴を近接して設けると、その部分から故障が発生することが多いためである。又、このように複数の穴を離して設ければ、１の温度測定機５００ａが異なるタイミングで温度を測定することによって、それぞれの部分の温度を測定することができるためである。
【００２３】
シャフト１００は、タイヤ２００の回転の中心となる軸であって、シャフト１００上にはマーク１１０が設けられている。
【００２４】
マーク検出機３００は、シャフト１００上のマーク１１０を検出するマーク検出部である。マーク検出機３００は、シャフト１００上のマーク１１０を検出したことを通知する検出通知７００をシステム管理装置４００に送信する。
【００２５】
マーク検出機３００には、後述するように、周期通知が提供されてから所望の時間を経過するまでの間、システム管理装置４００によって電源が供給される。従って、マーク検出機３００は、周期通知が提供されてから所望の時間を経過するまでの間、マーク１１０を検出する。
【００２６】
マーク検出機３００には、例えば光電センサーや画像センサー等の光学的なセンサーが用いられる。このため、マーク１１０は、例えばシャフト１００と大きく異なる明度である等、マーク検出機３００によって検出できる態様で設けられている。又、マーク検出機３００の電源３１０は、システム管理装置４００から供給されている。
【００２７】
温度測定機５００ａは、システム管理装置４００を介して、マーク検出機３００から検出通知７００を受信した際に、タイヤの温度を測定する。すなわち、温度測定機５００ａは、マーク検出機３００によってマーク１１０が検出されたことを契機としてタイヤ２００の温度を測定する温度測定部として機能する。検出通知７００の転送が微少時間内で行われる場合には、温度測定機５００ａは、測定位置２１０におけるタイヤの温度を測定する。
【００２８】
又、温度測定機５００ａには、後述するように、マーク検出機３００によってマーク１１０が検出されてから所望の時間が経過した際に、システム管理装置４００から検出通知７００が送信される。従って、温度測定機５００ａは、検出通知７００を受信した際にタイヤ２００の温度を測定することによって、マーク検出機３００によってマーク１１０が検出されてから所望の時間が経過した際に温度を測定する。
【００２９】
温度測定機５００ａには、例えば放射温度測定機等の、測定対象と非接触で温度を測定できる温度測定機が用いられる。又、図１においては、温度測定機を１つ図示しているが、温度測定システム１は、複数の温度測定機を備えていてもよい。
【００３０】
回転ドラム制御盤６００は、タイヤ２００を回転させるための回転ドラムを制御する。回転ドラム制御盤６００は、回転ドラムが作動を開始したことを通知する作動開始通知、又は、回転ドラムが作動を終了したことを通知する作動終了通知を、作動通知７１０としてシステム管理装置４００に送信する。又、回転ドラム制御盤６００は、温度測定機５００ａによって測定されたタイヤ２００の温度が所定の値を超えたときに、温度測定機５００ａから高温通知７２０を受信して回転ドラムを停止させる回転ドラム制御部としても機能する。
【００３１】
尚、検出通知７００、作動通知７１０及び高温通知７２０は、有線又は無線の通信によって送受信される。
【００３２】
システム管理装置４００は、マーク検出機３００、温度測定機５００ａ及び回転ドラム制御盤６００と、有線又は無線の回線で各通知を送受信し、温度測定システム１の動きを管理する。図２を用いて、システム管理装置４００について詳細に説明する。尚、図２は温度測定機が３台ある場合のシステム管理装置４００を示している。
【００３３】
システム管理装置４００は、作動通知受信部４０５と、周期タイマー４１０と、ＯＦＦタイマー４１５と、電源制御部４２０と、検出通知受信部４２５と、検出通知分配部４３０と、調整タイマー４３５と、電圧印可部４４０と、検出通知送信部４４５とを備える。
【００３４】
作動通知受信部４０５は、回転ドラム制御盤６００から、作動開始通知又は作動終了通知を作動通知７１０として受信する。
【００３５】
周期タイマー４１０は、タイヤ２００を回転させるための回転ドラムが作動を開始したことを契機として、所望の時間間隔で周期通知を提供する周期通知提供部である。具体的には、周期タイマー４１０は、作動通知受信部４０５から作動開始通知を取得してから所望の時間間隔で、ＯＦＦタイマー４１５と電源制御部４２０とに周期通知を提供する。
【００３６】
尚、周期タイマー４１０は、作動開始通知を取得してから所望の時間を経過した際から、所望の時間間隔で周期通知を提供してもよい。これによれば、例えば、タイヤ２００の回転が定速に達してから温度の測定を開始することができるため、不要なデータは取得されない。又、周期タイマー４１０は、作動通知受信部４０５から作動終了通知を取得した後、作動開始通知を取得するまでの間は周期通知を提供しない。
【００３７】
ＯＦＦタイマー４１５は、作動通知受信部４０５から作動開始通知を取得してから所望の時間を経過した際にＯＦＦ通知を電源制御部４２０に入力する。尚、ＯＦＦタイマー４１５に設定される所望の時間は、後述するように、電源制御部４２０が連続してマーク検出機３００に電源を供給する時間を定める。このため、ＯＦＦタイマー４１５に設定される所望の時間を、温度測定機５００ａ〜５００ｃが温度を測定する回数と所要時間との関係を考慮して決定すれば、温度測定機５００ａ〜５００ｃが連続して温度を測定する回数を決定することができる。
【００３８】
電源制御部４２０は、マーク検出機３００に供給する電源を制御する。電源制御部４２０は、作動通知受信部４０５から作動開始通知を取得した際に、マーク検出機に対し電源を供給し始め、ＯＦＦタイマー４１５からＯＦＦ通知を取得した際にマーク検出機に対する電源の供給を中止する。
【００３９】
従って、例えば、周期タイマー４１０に設定された所望の時間が１時間であって、ＯＦＦタイマー４１５に設定された所望の時間が１分であれば、電源制御部４２０は、回転ドラムが作動を開始してから１時間間隔で１分間、マーク検出機３００に電源を供給する。
【００４０】
尚、マーク検出機３００が、対象物に光を当てるための投光機と共に用いられる場合には、電源制御部４２０は、投光機に対して供給する電源を同様に制御してもよい。
【００４１】
検出通知受信部４２５は、マーク検出機３００から検出通知７００を受信する。
【００４２】
検出通知分配部４３０は、検出通知７００を、検出通知受信部４２５を介してマーク検出機３００から受信して、複数の検出通知７００に分配する分配部である。具体的には、検出通知分配部４３０は、検出通知受信部４２５から取得した検出通知７００を温度測定機の数に分配する。
【００４３】
調整タイマー４３５は、検出通知７００を取得してからそれぞれの温度測定機５００ａ〜５００ｃについて所望の時間が経過した際に、分配された検出通知７００をそれぞれ電圧印可部４４０に入力する。
【００４４】
タイヤ２００を回転させる速度が低速であっても、タイヤ２００の周上の速度は高速となるため、温度測定機５００ａによって温度が測定されるタイヤの位置を僅かに調整する場合等には、調整タイマー４３５に設定される所望の時間は１ｍｓのオーダーの時間となる。
【００４５】
電圧印可部４４０は、調整タイマー４３５から取得した検出通知７００がパルス電圧である場合に、検出通知７００に直流電圧を印可する。
【００４６】
尚、システム管理装置４００の機能は、電気回路によって実現されていてもよいし、ＣＰＵ及びソフトウェアモジュールによって実現されていてもよいが、ＣＰＵ及びソフトウェアモジュールによって実現されている場合には、電圧印可部４４０は、温度測定機５００ａ〜５００ｃに送信すべきパルス電圧の電圧値を指示するものとして機能する。
【００４７】
検出通知送信部４４５は、電圧印可部４４０によって電圧が印可された検出通知７００を、温度測定機５００ａ〜５００ｃのそれぞれに送信する。従って、検出通知送信部４４５は、マーク検出機３００によってマーク１１０が検出されてから、それぞれの温度測定機５００ａ〜５００ｃについて所望の時間が経過した際に、分配された検出通知７００を温度測定機５００ａ〜５００ｃにそれぞれ送信する送信部として機能する。
【００４８】
尚、検出通知７００の転送は微少時間で行われるため、通常問題とならないが、検出通知７００の転送時間も考慮に入れた上で、調整タイマー４３５に設定する時間を調節すれば、検出通知送信部４４５は、マーク１１０が検出されてから正確に所望の時間が経過した際に、検出通知７００を提供することができる。
【００４９】
又、図示されていないが、温度測定機５００ａ〜５００ｃによって測定された測定データを記録するための記録手段を備えていてもよい。記録手段は、温度測定機５００ａ〜５００ｃ、システム管理装置４００、若しくは図示されていない装置に備えられる。記録手段には、例えば、データレコーダ、フラッシュメモリ、ハードディスク、フレキシブルディスク等が用いられる。
【００５０】
図３に、システム管理装置４００の外観の一例を示す。システム管理装置４００は、外部に、電源４５０と、作動通知入力端子４５５と、マーク検出機接続端子４６０と、温度測定機接続端子４６５と、回転ドラム作動通知の自動／手動切替スイッチ４７０と、電圧印可部のスイッチ４７５と、タイマーのスイッチ４８０と、周期タイマー調節スイッチ４８５と、ＯＦＦタイマー調節スイッチ４９０と、調整タイマー調節スイッチ４９５とを備える。
【００５１】
電源４５０は、システム管理装置４００内の電気回路及びマーク検出機３００に供給される。作動通知入力端子４５５は、回転ドラム制御盤６００に接続され、回転ドラム制御盤６００から作動通知７１０を受信するための端子である。マーク検出機接続端子４６０は、マーク検出機３００に接続され、マーク検出機３００から検出通知７００を受信するための端子である。温度測定機接続端子４６５は、温度測定機５００ａ〜５００ｃに接続され、温度測定機５００ａ〜５００ｃに検出通知７００を送信するための端子である。
【００５２】
回転ドラム作動通知の自動／手動切替スイッチ４７０は、回転ドラムから送信される作動通知７１０を有効とするか、若しくは、手動で生成する作動通知を有効とするかを切り替えるためのスイッチである。電圧印可部のスイッチ４７５は、電圧印可部４４０を機能させるか否かを切り替えるためのスイッチである。タイマーのスイッチ４８０は、種々のタイマーを機能させるか否かを切り替えるためのスイッチである。
【００５３】
周期タイマー調節スイッチ４８５は、周期タイマー４１０に設定される所望の時間を調節するためのスイッチである。ＯＦＦタイマー調節スイッチ４９０は、ＯＦＦタイマー４１５に設定される所望の時間を調節するためのスイッチである。調整タイマー調節スイッチ４９５は、調整タイマー４３５に設定される所望の時間を調節するためのスイッチである。
【００５４】
（温度測定方法）
図１に示した温度測定システム１を用いた温度測定方法を、図４を用いて説明する。
【００５５】
ステップ１０１において、マーク検出機３００がシャフト１００上のマーク１１０を検出する。
【００５６】
ステップ１０２において、マーク検出機３００がシステム管理装置４００に検出通知７００を送信する。
【００５７】
ステップ１０３において、システム管理装置４００上の検出通知分配部４３０が受信した検出通知７００を分配する。
【００５８】
ステップ１０４において、システム管理装置４００上の調整タイマー４３５が、分配された検出通知７００をそれぞれの温度測定機５００ａ〜５００ｃに送信する時間を調整する。
【００５９】
ステップ１０５において、システム管理装置４００上の電圧印可部４４０がパルス電圧である検出通知７００に直流電圧を印可する。
【００６０】
ステップ１０６〜ステップ１０８において、システム管理装置４００上の検出通知送信部４４５が温度測定機５００ａ〜５００ｃのそれぞれに、直流電圧が印可された検出通知７００を送信する。
【００６１】
（作用及び効果）
本実施の形態に係る温度測定システム１及び温度測定方法によると、  温度測定機５００ａは、タイヤ２００と共に回転しているシャフト１００上のマーク１１０が検出されたことを契機として、タイヤ２００の温度を測定するため、シャフト１００上のマーク１１０の位置と関連づけられているタイヤ２００の特定の位置の温度が測定される。従って、必要な測定データを自動的に取得することができる。
【００６２】
又、温度測定機５００ａは、マーク検出機３００によってマーク１１０が検出されるタイミングと調整タイマー４３５に設定されている所望の時間だけずれたタイミングで温度を測定するため、温度が測定されるタイヤの位置を調整することができる。
【００６３】
更に、マーク検出機３００が、所望の時間間隔で所望の時間だけマーク１１０を検出することによって、温度測定機５００ａは、所望の時間間隔で所望の時間だけ温度を測定する。このため、例えば、１時間おきに１分ずつ温度を測定すること等によって、必要な測定データを取得することができる。
【００６４】
又、回転ドラム制御盤６００は、タイヤ２００の温度が所定の値を超えたときに回転ドラムを停止させるため、タイヤ２００の回転も停止し、温度を自動的に測定する場合でも危険を回避することができる。
【００６５】
更に、１のマーク検出機３００によって通知される検出通知７００に基づいて、複数の温度測定機５００ａ〜５００ｃのそれぞれについて所望のタイミングで検出通知７００が送信される。このため、１のマーク検出機３００を用いて、１のタイヤの温度を測定するために設けられた複数の温度測定機、又は、同じシャフト１００を中心として回転する複数のタイヤ２００の温度を測定するために設けられた複数の温度測定機のそれぞれによって、必要な測定データを自動的に取得できる。
【００６６】
又、電圧印可部４４０が、パルス電圧である検出通知７００に所望の値の直流電圧を印可するか、又は、温度測定機５００ａ〜５００ｃに送信すべきパルス電圧の電圧値を指示するため、送信される検出通知７００のパルス電圧の大きさを温度測定機５００ａ〜５００ｃの仕様に対応させることができる。
【００６７】
更に、周期タイマー４１０は、作動通知受信部４０５から作動終了通知を取得した後、作動開始通知を取得するまでの間は周期通知を提供しないため、回転ドラムが作動していない際にはマーク検出機３００には電源が供給されない。従って、温度測定機５００ａ〜５００ｃは、回転ドラムが作動してないときに温度を測定することがなく、不要な測定データは取得されない。
【００６８】
又、周期タイマー４１０は、タイヤ２００を回転させるための回転ドラムが作動を開始したことを契機として、所望の時間間隔で周期通知を提供するため、同じ温度測定システムを用いて複数回の実験を行って結果を比較する場合に、回転ドラムの作動開始から温度を測定するまでの時間を一定にすることができる。従って、複数回の実験結果を比較することが容易となる。
【００６９】
更に、マーク１１０は、タイヤ２００上でなく、シャフト１００上に設けられているため、同じシャフト１００を中心として回転する複数のタイヤの温度を測定する場合や、シャフト１００に取り付けられるタイヤを交換して温度を測定する場合でも、容易に、同様のタイミングで温度を測定することができる。
【００７０】
又、マーク検出機３００を用いて、温度を測定するタイヤ２００の位置を特定するため、タイヤ２００上の複数の位置の温度を測定する場合等には、角度センサーを用いて特定する場合に比べて、温度を測定するタイミングの設定及び調整が容易である。
【００７１】
又、このような温度測定システム１によれば、例えば次のような目的でタイヤの温度を測定することができる。
【００７２】
タイヤを、シャフトを中心とする扇型状に区切り、区切られた扇形の部分毎に異なる複数の材料を用いて製造し、それぞれの材料の部分の温度を測定することができる。このような測定は、複数の材料を用いたタイヤの温度を同じ条件の下に測定し、材料同士の特性の違いを調査する目的で行われる。
【００７３】
又、タイヤの複数の部分の温度を測定し、温度の高い部分とタイヤの構造との関係を考察することができる。タイヤの構造としては、例えばベルトのジョイント部であるか否か、ゴムゲージの厚さ、ＲＲＯの大きさ等が注目される。タイヤは、温度の高い部分から故障するため、このような測定は、タイヤの構造と故障との関係を調査する目的で行われる。
【００７４】
尚、本発明は上記実施形態に限定されるものではなく、種々の変更が可能である。その一例として、検出通知送信部４４５は、検出通知分配部４３０によって分配された検出通知７００を、複数の温度測定機５００ａ〜５００ｃに送信することとしているが、分配された検出通知７００を１の温度測定機に送信してもよい。
【００７５】
これによれば、１の温度測定機によって、１のタイヤの複数の部分の温度を測定することができる。又、調整タイマー４３５に設定する時間を調整することによって、データ整理が容易な順番で、複数の部分の温度を測定することができる。
【実施例】
【００７６】
以下に実施例を挙げて、本発明を更に詳しく説明するが、本発明は下記の実施例に何ら限定されるものではない。
【００７７】
本発明の効果を確かめるために、タイヤ内部の温度の測定実験を行った。それぞれの実験においては、人間が測定位置を目で確認して温度を測定する従来の測定方法と、本発明に係る自動的に温度を測定する方法の２つの方法で温度を測定した。尚、本発明に係る方法では、１時間間隔で、１回、温度が測定されるように設定した。
【００７８】
又、実験においては、温度測定機として、日本アビオニクス（株）製の赤外線画像装置ＴＶＳ−８５００を用い、マーク検出機として、竹中電子工業（株）製のＧＳ２０Ｎを用い、温度を測定するタイヤとしては、サイズが４０００Ｒ５７であるタイヤを用いた。又、タイヤを回転させる速度は、従来例１及び実施例１では１０Ｋｍ／ｈ、従来例２及び実施例２では２０Ｋｍ／ｈ、従来例３及び実施例３では３０Ｋｍ／ｈとした。
【００７９】
温度の測定結果を表１及び図５に示す。従来例１と実施例１、従来例２と実施例２、従来例３と実施例３はそれぞれ同時に行われた実験において測定された結果を示している。尚、実施例１及び実施例２においては、温度測定システムに、更に実験開始から所望の時間である１９時間が経過した際に実験を中止させる機能も持たせている。
【表１】
2006030012.tif 000003
【００８０】
（結果）
従来例１〜従来例３では、人間が温度測定機を操作できる９：００〜１２：００，１４：００〜１７：００の時間帯にしか温度を測定できなかった。これに対し、実施例１〜実施例３では、人間が温度測定機を操作できる時間帯以外にも継続して温度が測定されることが確認できた。
【００８１】
又、実施例２は、人間が温度測定機を操作できない時間帯である１：００に回転ドラムが作動を開始した場合の実験結果を示しているが、この場合でも回転ドラムの作動開始から温度が測定されることが確認できた。
【００８２】
更に、実施例１及び実施例２においては、実験開始から所望の時間である１９時間が経過するまで、測定データが取得されることが確認できた。
【００８３】
又、実施例３においては、タイヤの温度が、所定の値である９９℃を超えたとき、即ち、１００℃になったとき、回転ドラムが停止されることによって温度の測定が終了されることが確認できた。
【００８４】
以上のように、必要な測定データが自動的に取得されることが確認できた。
【図面の簡単な説明】
【００８５】
【図１】本実施形態に係る温度測定システムの構成を示す図である。
【図２】本実施形態に係るシステム管理装置の構成を示すブロック図である。
【図３】本実施形態に係るシステム管理装置の斜視図である。
【図４】本実施形態に係る温度測定方法の手順を示すフロー図である。
【図５】実施例の結果を示す図である。
【符号の説明】
【００８６】
１…温度測定システム
１００…シャフト
１１０…マーク
２００…タイヤ
２１０…測定位置
３００…マーク検出機
３１０…電源
４００…システム管理装置
４０５…作動通知受信部
４１０…周期タイマー
４１５…ＯＦＦタイマー
４２０…電源制御部
４２５…検出通知受信部
４３０…検出通知分配部
４３５…調整タイマー
４４０…電圧印可部
４４５…検出通知送信部
５００ａ〜５００ｃ…温度測定機
６００…回転ドラム制御盤
７００…検出通知
７１０…作動通知
７２０…高温通知
【図１】
2006030012.tif 000004
【図２】
2006030012.tif 000005
【図３】
2006030012.tif 000006
【図４】
2006030012.tif 000007
【図５】
2006030012.tif 000008